(57)【要約】【課題】操作者にとって操作時の設定内容の確認を容易なものとし、操作性を向上させる。【解決手段】操作者に対する操作案内をパーソナルコンピュータ１の表示部１５０に表示させる表示制御プログラムであって、操作者による操作で１以上の項目の設定値の変更が可能なデフォルト画面と、操作者による操作で１以上の項目の設定値の変更が可能であり、このデフォルト画面から切換表示される第２画面とを表示部１５０に表示させる表示制御部１０１と、表示制御部１０１によりデフォルト画面又は第２画面が表示部１５０に表示されているときに、前記各項目の設定値を変更する各々の指示を、操作者から受付ける設定変更受付部１０２とを備え、第２画面で変更可能とされる項目のいずれかの設定値が変更されている場合、表示制御部１０１が、当該第２画面における当該変更された設定値の表示部分を、デフォルト画面に透過させて表示させるように、コンピュータを機能させる。【選択図】図１
2008083959.tif 000002
【特許請求の範囲】
【請求項１】
操作者に対する操作案内をコンピュータの表示部に表示させる表示制御プログラムであって、
操作者による操作で１以上の項目の設定値の変更が可能なデフォルト画面と、操作者による操作で１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記設定変更受付手段によって受け付けられた設定変更指示で、前記第２画面で変更可能とされる項目のいずれかの設定値が変更された場合に、前記表示制御手段が、当該第２画面における当該変更された設定値の表示部分を、前記デフォルト画面に透過させて表示させるように、コンピュータを機能させる表示制御プログラム。
【請求項２】
前記設定変更受付手段によって受け付けられた設定変更指示で、前記第２画面で変更可能とされる項目のいずれかの設定値がデフォルト値から変更されている場合に、前記表示制御手段が、当該第２画面における変更された設定値の表示部分を、前記デフォルト画面に透過させて表示させるように、コンピュータを機能させる請求項１に記載の表示制御プログラム。
【請求項３】
前記表示制御手段は、前記デフォルト画面での前記透過表示部分を装飾した表示形態で表示する請求項１又は請求項２に記載の表示制御プログラム。
【請求項４】
前記設定変更受付手段によって受け付けられた操作者からの設定変更指示に基づいて、前記第２画面で変更可能とされる項目のいずれかの設定値が変更された場合に、前記表示制御手段が、当該変更された項目の設定変更が可能である第２画面への切換案内を表示する前記デフォルト画面における切換案内部分を、当該設定値の変更前における表示とは異なる表示形態で表示させるように、コンピュータを機能させる請求項１乃至請求項３のいずれかに記載の表示制御プログラム。
【請求項５】
前記表示制御手段は、前記第２画面を、前記デフォルト画面から切り換え表示される複数の画面からなるものとし、前記デフォルト画面における前記透過表示部分を、当該透過表示されている項目の設定変更が可能である第２画面への切換案内を表示する切換案内部分と同一の表示形態で表示させるように、コンピュータを機能させる請求項４に記載の表示制御プログラム。
【請求項６】
前記表示制御手段は、前記第２画面を、前記デフォルト画面から切り換え表示される複数の画面からなり、それぞれの第２画面は各別に付与された階層を有するものとし、当該各第２画面の階層の違いに応じて、前記デフォルト画面における前記透過表示部分の表示形態を異ならせるように、コンピュータを機能させる請求項１乃至請求項４のいずれかに記載の表示制御プログラム。
【請求項７】
前記設定変更受付手段によって受け付けられた設定変更指示で、前記第２画面で変更可能とされる項目のいずれかの設定値が変更された場合に、前記表示制御手段が、当該第２画面における変更された設定値の表示部分と共に、当該設定値について操作者から設定変更指示を受け付ける設定変更ボタンを、前記デフォルト画面に透過させて表示させ、
前記設定変更受付手段は、コンピュータの入力装置を用いた操作者による前記デフォルト画面に透過表示された設定変更ボタンの操作に基づいて、前記設定値の変更指示を受け付けるように、コンピュータを機能させる請求項１乃至請求項６のいずれかに記載の表示制御プログラム。
【請求項８】
前記設定変更受付手段によって受け付けられた設定変更指示で、前記第２画面で変更可能とされる項目のいずれかの設定値が変更された場合に、前記表示制御手段が、当該第２画面における当該変更された設定値の表示部分と共に、当該設定値について操作者から設定変更指示を受け付ける設定変更ボタンを、前記デフォルト画面に透過させて表示させ、
前記表示制御手段が、前記デフォルト画面で前記各第２画面別の項目毎に前記透過表示を行っている場合に、前記設定変更受付手段は、コンピュータの入力装置を用いた操作者による前記設定変更ボタンの操作であって、前記それぞれの第２画面に対応させて予め定められた各別の操作が行われると、対応する第２画面の項目であって前記透過表示されている設定値の変更指示を受け付けるように、コンピュータを機能させる請求項５に記載の表示制御プログラム。
【請求項９】
操作者に対する操作案内をコンピュータの表示部と、
操作者による操作で１以上の項目の設定値の変更を可能とするデフォルト画面と、操作者による操作で１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記設定変更受付手段によって受け付けられた設定変更指示で、前記第２画面で変更可能とされる項目のいずれかの設定値が変更された場合に、前記表示制御手段が、当該第２画面における当該変更された設定値の表示部分を、前記デフォルト画面に透過させて表示させる表示装置。
【請求項１０】
操作者に対する操作案内をコンピュータの表示部に表示する表示制御方法であって、
操作者による操作で１以上の項目の設定値の変更を可能とするデフォルト画面と、操作者による操作で１以上の項目の設定値の変更が可能であり、このデフォルト画面から切り換えて表示される第２画面とを前記表示部に表示させる第１ステップと、
前記デフォルト画面又は第２画面が前記表示部に表示されているときに、前記各項目の設定値を変更するそれぞれの指示を、操作者から受け付ける第２ステップと、
前記受け付けられた設定変更指示によって、前記第２画面で変更可能とされる項目のいずれかの設定値が変更された場合に、当該第２画面における当該変更された設定値の表示部分を、前記デフォルト画面に透過させて表示させる第３ステップと
を備える表示制御方法。
【請求項１１】
操作者に対する操作案内をコンピュータの表示部と、
操作者による操作で１以上の項目の設定値の変更を可能とするデフォルト画面と、操作者による操作で１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記設定変更受付手段によって受け付けられた設定変更指示で、前記第２画面で変更可能とされる項目のいずれかの設定値が変更された場合に、前記表示制御手段が、当該第２画面における当該変更された設定値の表示部分を、前記デフォルト画面に透過させて表示させる画像形成装置。
【請求項１２】
操作者に対する操作案内をコンピュータの表示部に表示させる表示制御プログラムであって、
操作者による操作で１以上の項目の設定値の変更を可能とするデフォルト画面と、操作者による操作で１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記設定変更受付手段によって受け付けられた設定変更指示で、前記第２画面で変更可能とされる項目のいずれかの設定値が変更された場合に、前記表示制御手段が、前記デフォルト画面においてその一部を切り欠いた部分に、前記第２画面における前記変更された設定値の表示部分を優先的に表示させるように、コンピュータを機能させる表示制御プログラム。
【請求項１３】
操作者に対する操作案内をコンピュータの表示部に表示させる表示制御プログラムであって、
操作者による操作で１以上の項目の設定値の変更が可能な第１のアプリケーションの画面と、操作者による操作で１以上の項目の設定値の変更が可能であり、上記第１のアプリケーションの画面から切り換えて表示される第２のアプリケーションの画面とを前記表示部に表示させる表示制御手段と、
前記表示制御手段によって前記第１又は第２のアプリケーションの画面が前記表示部に表示されているときに、前記各項目の設定値を変更するそれぞれの指示を、操作者から受け付ける設定変更受付手段とを備え、
前記設定変更受付手段によって受け付けられた設定変更指示で、前記第２のアプリケーションの画面で変更可能とされる項目のいずれかの設定値が変更された場合に、前記表示制御手段が、当該第２のアプリケーションの画面における当該変更された設定値の表示部分を、前記第１のアプリケーションの画面に透過させて表示させるように、コンピュータを機能させる表示制御プログラム。
【発明の詳細な説明】
【技術分野】
【０００１】
本発明は、表示制御プログラム、表示装置、表示制御方法及び画像形成装置に関し、特に、操作者に対する操作案内を表示装置に表示する技術に関するものである。
【背景技術】
【０００２】
従来から、操作者に対する操作案内を、コンピュータや画像形成装置等のディスプレイに表示させる技術がある。この技術が適用される例として、下記特許文献１に示されるファイルデータプリント出力方法がある。このファイルデータプリント出力方法は、パーソナルコンピュータ上で、アプリケーションソフトウエアにより編集中のファイルデータを画像形成装置に出力する際に、モニタ画面のタスクバー上に表示される第１プリンタアイコン２０１から、画像形成装置の各オプション機能を示す部分２０２Ａ〜２０２Ｈで構成される第２プリンタアイコン２０２がプルダウンされるようにし、当該プルダウン表示のいずれかの部分を操作者がポインタでクリックすると、当該パーソナルコンピュータが、現在編集中のファイルデータと共に、指示された部分に対応する機能の実行指示を画像形成装置に出力するものである。
【特許文献１】特開２００３−３１６５３６号公報
【発明の開示】
【発明が解決しようとする課題】
【０００３】
一般に、ディスプレイに操作案内が表示されているときに、操作者が、ページレイアウトや、拡大縮小倍率、用紙設定等の詳細事項を設定する場合、プリンタドライバのデフォルト画面では設定できず、更に下位層の操作画面を表示させて設定するようになっていることが多い。そして、当該下位層の操作画面で設定した内容を確認するには、当該下位層を表示させなければ設定内容を確認できないことが多い。上記特許文献１に示されているファイルデータプリント出力方法は、画像形成装置の機能を簡単かつ確実に選択できるが、下位層の操作画面で設定した内容を確認するには、当該下位層を表示させなければ設定内容を確認できないため、詳細な設定内容を確認する際における操作者にとっての不便さを解消できていない。
【０００４】
本発明は、上記の問題を解決するためになされたもので、操作者にとって、操作時の設定内容の確認を容易なものとし、操作性を向上させることを目的とする。
【課題を解決するための手段】
【０００５】
本発明の請求項１に記載の発明は、操作者に対する操作案内をコンピュータの表示部に表示させる表示制御プログラムであって、
操作者による操作で１以上の項目の設定値の変更が可能なデフォルト画面と、操作者による操作で１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記設定変更受付手段によって受け付けられた設定変更指示で、前記第２画面で変更可能とされる項目のいずれかの設定値が変更された場合に、前記表示制御手段が、当該第２画面における当該変更された設定値の表示部分を、前記デフォルト画面に透過させて表示させるように、コンピュータを機能させるものである。
【０００６】
また、請求項９に記載の発明は、操作者に対する操作案内をコンピュータの表示部と、
操作者による操作で１以上の項目の設定値の変更を可能とするデフォルト画面と、操作者による操作で１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記設定変更受付手段によって受け付けられた設定変更指示で、前記第２画面で変更可能とされる項目のいずれかの設定値が変更された場合に、前記表示制御手段が、当該第２画面における当該変更された設定値の表示部分を、前記デフォルト画面に透過させて表示させる表示装置である。
【０００７】
また、請求項１０に記載の発明は、操作者に対する操作案内をコンピュータの表示部に表示する表示制御方法であって、
操作者による操作で１以上の項目の設定値の変更を可能とするデフォルト画面と、操作者による操作で１以上の項目の設定値の変更が可能であり、このデフォルト画面から切り換えて表示される第２画面とを前記表示部に表示させる第１ステップと、
前記デフォルト画面又は第２画面が前記表示部に表示されているときに、前記各項目の設定値を変更するそれぞれの指示を、操作者から受け付ける第２ステップと、
前記受け付けられた設定変更指示によって、前記第２画面で変更可能とされる項目のいずれかの設定値が変更された場合に、当該第２画面における当該変更された設定値の表示部分を、前記デフォルト画面に透過させて表示させる第３ステップと
を備えるものである。
【０００８】
また、請求項１１に記載の発明は、操作者に対する操作案内をコンピュータの表示部と、
操作者による操作で１以上の項目の設定値の変更を可能とするデフォルト画面と、操作者による操作で１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記設定変更受付手段によって受け付けられた設定変更指示で、前記第２画面で変更可能とされる項目のいずれかの設定値が変更された場合に、前記表示制御手段が、当該第２画面における当該変更された設定値の表示部分を、前記デフォルト画面に透過させて表示させる画像形成装置である。
【０００９】
これらの構成によれば、第２画面で変更可能とされる項目のいずれかの設定値が変更された場合には、表示制御手段が、上記デフォルト画面に、当該第２画面における当該変更された設定値の表示部分を透過表示するので、操作者は、当該第２画面を表示させる操作を行わなくても、第２画面で変更されるべき項目の設定値を、デフォルト画面を表示した状態で確認でき、操作性が向上する。
【００１０】
また、請求項２に記載の発明は、請求項１に記載の表示制御プログラムであって、前記設定変更受付手段によって受け付けられた設定変更指示で、前記第２画面で変更可能とされる項目のいずれかの設定値がデフォルト値から変更されている場合に、前記表示制御手段が、当該第２画面における変更された設定値の表示部分を、前記デフォルト画面に透過させて表示させるように、コンピュータを機能させるものである。
【００１１】
この構成によれば、前記第２画面で変更可能とされる項目がデフォルト値から変更されている場合に、表示制御手段が、その変更後の設定値を上記デフォルト画面に表示するので、操作者は、デフォルト値とは異なる値となった項目及びその設定値を、当該表示により確実に把握することができる。
【００１２】
また、請求項３に記載の発明は、請求項１又は請求項２に記載の表示制御プログラムであって、前記表示制御手段は、前記デフォルト画面での前記透過表示部分を装飾した表示形態で表示するものである。
【００１３】
この構成によれば、表示制御手段が、デフォルト画面での透過表示部分を装飾して表示するので、当該透過表示部分が、本来は第２表示画面で設定変更されるべき項目の設定値を示すものであることを、操作者にわかりやすくすることができる。
【００１４】
また、請求項４に記載の発明は、請求項１乃至請求項３のいずれかに記載の表示制御プログラムであって、前記設定変更受付手段によって受け付けられた操作者からの設定変更指示に基づいて、前記第２画面で変更可能とされる項目のいずれかの設定値が変更された場合に、前記表示制御手段が、当該変更された項目の設定変更が可能である第２画面への切換案内を表示する前記デフォルト画面における切換案内部分を、当該設定値の変更前における表示とは異なる表示形態で表示させるように、コンピュータを機能させるものである。
【００１５】
この構成によれば、第２画面で変更可能とされる項目のいずれかの値が変更された場合、表示制御手段が、当該変更された項目の設定が可能である第２画面への切換案内を表示する部分を、当該設定値の変更前における表示とは異なる表示形態とするので、操作者は、複数の第２画面のうち、透過表示されている設定値の変更が可能とされている第２画面を容易に把握することができる。
【００１６】
また、請求項５に記載の発明は、請求項４に記載の表示制御プログラムであって、前記表示制御手段は、前記第２画面を、前記デフォルト画面から切り換え表示される複数の画面からなるものとし、前記デフォルト画面における前記透過表示部分を、当該透過表示されている項目の設定変更が可能である第２画面への切換案内を表示する切換案内部分と同一の表示形態で表示させるように、コンピュータを機能させるものである。
【００１７】
この構成によれば、操作者は、透過表示されている複数の設定値のそれぞれについて、当該各設定値を変更することが可能なそれぞれの第２画面がいずれであるかを、複数の第２画面の中から的確に把握することができる。
【００１８】
また、請求項６に記載の発明は、請求項１乃至請求項４のいずれかに記載の表示制御プログラムであって、前記表示制御手段は、前記第２画面を、前記デフォルト画面から切り換え表示される複数の画面からなり、それぞれの第２画面は各別に付与された階層を有するものとし、当該各第２画面の階層の違いに応じて、前記デフォルト画面における前記透過表示部分の表示形態を異ならせるように、コンピュータを機能させるものである。
【００１９】
この構成によれば、表示制御手段が、各第２画面の階層の違いに応じて、デフォルト画面における透過表示部分の表示形態を異ならせるので、操作者は、透過表示されている設定値を、どの階層の第２画面で変更可能かを容易に把握することができる。
【００２０】
また、請求項７に記載の発明は、請求項１乃至請求項６のいずれかに記載の表示制御プログラムであって、前記設定変更受付手段によって受け付けられた設定変更指示で、前記第２画面で変更可能とされる項目のいずれかの設定値が変更された場合に、前記表示制御手段が、当該第２画面における変更された設定値の表示部分と共に、当該設定値について操作者から設定変更指示を受け付ける設定変更ボタンを、前記デフォルト画面に透過させて表示させ、
前記設定変更受付手段は、コンピュータの入力装置を用いた操作者による前記デフォルト画面に透過表示された設定変更ボタンの操作に基づいて、前記設定値の変更指示を受け付けるように、コンピュータを機能させるものである。
【００２１】
この構成によれば、操作者は、第２画面を表示させる操作を行わなくても、デフォルト画面に表示された設定変更ボタンの操作により、本来第２画面で変更すべき項目の設定値が変更可能である。
【００２２】
また、請求項８に記載の発明は、請求項５に記載の表示制御プログラムであって、前記設定変更受付手段によって受け付けられた設定変更指示で、前記第２画面で変更可能とされる項目のいずれかの設定値が変更された場合に、前記表示制御手段が、当該第２画面における当該変更された設定値の表示部分と共に、当該設定値について操作者から設定変更指示を受け付ける設定変更ボタンを、前記デフォルト画面に透過させて表示させ、
前記表示制御手段が、前記デフォルト画面で前記各第２画面別の項目毎に前記透過表示を行っている場合に、前記設定変更受付手段は、コンピュータの入力装置を用いた操作者による前記設定変更ボタンの操作であって、前記それぞれの第２画面に対応させて予め定められた各別の操作が行われると、対応する第２画面の項目であって前記透過表示されている設定値の変更指示を受け付けるように、コンピュータを機能させるものである。
【００２３】
この構成によれば、操作者は、それぞれの第２画面に対応させて予め定められた各別の操作が、操作者によりコンピュータの入力装置を用いて行わなければ、対応する第２画面の項目であって前記透過表示されている設定値を変更できないので、操作者は、上記透過表示されている設定値の変更時に、この設定値がどの第２画面の項目の設定値であるかを認識しながら変更操作をすることができ、誤って他の第２画面の設定値を変更してしまうことを防止できる。
【００２４】
また、請求項１２に記載の発明は、操作者に対する操作案内をコンピュータの表示部に表示させる表示制御プログラムであって、
操作者による操作で１以上の項目の設定値の変更を可能とするデフォルト画面と、操作者による操作で１以上の項目の設定値の変更が可能であり、このデフォルト画面から切り換えて表示される第２画面とを前記表示部に表示させる表示制御手段と、
前記表示制御手段によって前記デフォルト画面又は第２画面が前記表示部に表示されているときに、前記各項目の設定値を変更するそれぞれの指示を、操作者から受け付ける設定変更受付手段とを備え、
前記設定変更受付手段によって受け付けられた設定変更指示で、前記第２画面で変更可能とされる項目のいずれかの設定値が変更された場合に、前記表示制御手段が、前記デフォルト画面においてその一部を切り欠いた部分に、前記第２画面における前記変更された設定値の表示部分を優先的に表示させるように、コンピュータを機能させるものである。
【００２５】
この構成によれば、第２画面で変更可能とされる項目のいずれかの設定値が変更された場合には、表示制御手段が、デフォルト画面においてその一部を切り欠いた部分に、当該第２画面における変更された設定値の表示部分を優先的に表示させるので、操作者は、当該第２画面を表示させる操作を行わなくても、第２画面で変更されるべき項目の設定値を、デフォルト画面を表示した状態で確認でき、操作性が向上する。
【００２６】
また、請求項１３に記載の発明は、操作者に対する操作案内をコンピュータの表示部に表示させる表示制御プログラムであって、
操作者による操作で１以上の項目の設定値の変更が可能な第１のアプリケーションの画面と、操作者による操作で１以上の項目の設定値の変更が可能であり、上記第１のアプリケーションの画面から切り換えて表示される第２のアプリケーションの画面とを前記表示部に表示させる表示制御手段と、
前記表示制御手段によって前記第１又は第２のアプリケーションの画面が前記表示部に表示されているときに、前記各項目の設定値を変更するそれぞれの指示を、操作者から受け付ける設定変更受付手段とを備え、
前記設定変更受付手段によって受け付けられた設定変更指示で、前記第２のアプリケーションの画面で変更可能とされる項目のいずれかの設定値が変更された場合に、前記表示制御手段が、当該第２のアプリケーションの画面における当該変更された設定値の表示部分を、前記第１のアプリケーションの画面に透過させて表示させるように、コンピュータを機能させるものである。
【００２７】
この構成によれば、第２のアプリケーションの画面で変更可能とされる項目のいずれかの設定値が変更された場合には、表示制御手段が、上記第１のアプリケーションの画面に、当該第２のアプリケーションの画面における当該変更された設定値の表示部分を透過表示するので、操作者は、当該第２のアプリケーションの画面を表示させる操作を行わなくても、第２のアプリケーションの画面で変更されるべき項目の設定値を、第１のアプリケーションの画面を表示した状態で容易に確認でき、操作性が向上する。
【発明の効果】
【００２８】
請求項１、請求項９、請求項１０及び請求項１１に記載の発明によれば、操作者に、デフォルト画面から第２画面に切り換え表示させる操作を行わせることなく、当該第２画面で変更可能な項目の設定値を、デフォルト画面で容易に確認できるため、操作性が向上する。
【００２９】
請求項２に記載の発明によれば、操作者に対して、上記第２画面で変更可能とされる項目であって、デフォルト値とは異なる値となった項目及びその設定値を、当該表示により確実に把握させることができる。
【００３０】
請求項３に記載の発明によれば、デフォルト画面での透過表示部分が、本来は第２表示画面で設定変更されるべき項目の設定値を示すものであることを、操作者にわかりやすくすることができる。
【００３１】
請求項４に記載の発明によれば、操作者に対して、複数の第２画面のうち、透過表示されている設定値の変更が可能である第２画面を容易に把握させることができる。
【００３２】
請求項５に記載の発明によれば、操作者は、デフォルト画面に透過表示されている複数の設定値のそれぞれについて、当該各設定値を変更することが可能なそれぞれの第２画面がいずれであるかを、複数の第２画面の中から的確に把握することができる。
【００３３】
請求項６に記載の発明によれば、操作者に対して、デフォルト画面に透過表示されている設定値を、どの階層の第２画面で変更可能かを容易に把握させることができる。
【００３４】
請求項７に記載の発明によれば、操作者は、上記設定変更ボタンの操作により、第２画面を表示させる操作を行わなくても、デフォルト画面を表示させた状態のまま、本来第２画面で変更すべき項目の設定値が変更可能になる。
【００３５】
請求項８に記載の発明によれば、操作者は、デフォルト画面に透過表示されている設定値の変更時に、この設定値がどの第２画面の項目の設定値であるかを認識しながら変更操作をすることができ、誤って他の第２画面の設定値を変更してしまうことを防止できる。
【００３６】
請求項１２に記載の発明によれば、操作者は、当該第２画面を表示させる操作を行わなくても、第２画面で変更されるべき項目の設定値を、デフォルト画面を表示した状態で確認でき、操作性が向上する。
【００３７】
請求項１３に記載の発明によれば、操作者に、当該第２のアプリケーションの画面を表示させる操作を行わせることなく、第２のアプリケーションの画面で変更されるべき項目の設定値を、第１のアプリケーションの画面を表示した状態で容易に確認させることができ、各アプリケーションの操作性を向上させることができる。
【発明を実施するための最良の形態】
【００３８】
以下、本発明に係る表示制御プログラム、表示装置、表示制御方法及び画像形成装置の実施形態を図面に基づいて説明する。図１は、本発明の一実施形態に係る表示制御プログラムがインストールされたパーソナルコンピュータ（以下、ＰＣという）の概略構成を示すブロック図である。
【００３９】
ＰＣ１は、ＬＡＮ（Local Area Network）ケーブル、又はセントロニクスインターフェイスなどのパラレルケーブルあるいはＲＳ−２３２Ｃなどのシリアルケーブル等により、プリンタ２０と接続され、ＰＣ１から出力された印刷データがプリンタ２０で記録用紙上に印刷されるようになっている。通信Ｉ／Ｆ１６０は、ＬＡＮインタフェイス、パラレルＩ／Ｆ部又はシリアルＩ／Ｆ部として機能する。プリンタ２０は、プリンタの他、ファクシミリ機能、プリンタ機能、コピー機能を兼ね備える複合機や、ファクシミリ装置等、プリンタ機能を備える種々の装置が含まれる。
【００４０】
ＰＣ１は、上記通信Ｉ／Ｆ１６０の他、ＣＰＵ１００、ＲＯＭ（リードオンリーメモリ）１１０、ＲＡＭ（ランダムアクセスメモリ）１２０、記録媒体読取装置１３０、操作部（入力装置）１４０、表示部１５０及び記憶装置２００を備えている。
【００４１】
ＲＯＭ１１０は、記憶装置２００や記録媒体読取装置１３０等の周辺機器を制御するための基本プログラムであるＢＩＯＳ（basic input/output system）等を記憶している。ＲＡＭ１２０は、ＣＰＵ１００の作業領域として使用され、種々のデータを一時的に記憶する。記録媒体読取装置１３０は、ＣＰＵ１００の制御の下、ＣＤ−ＲＯＭ、フレキシブルディスク、ＤＶＤ（digital versatile disk）等の記録媒体に記録された種々のデータを読み取る。
【００４２】
操作部１４０は、キーボード、マウス等を含み、ユーザの操作指令を受け付け、操作指令に応じた電気信号をＣＰＵ１００に出力する。表示部１５０は、液晶パネル又はＣＲＴ（陰極線管）等から構成され、ＣＰＵ１００の制御の下に種々の画像を表示する。
【００４３】
記憶装置２００は、例えば磁気ディスクから構成され、パーソナルコンピュータを統括制御するための基本プログラムであるオペレーティングシステムや、本発明の一実施形態に係る表示制御プログラム等を記憶している。この表示制御プログラムは、操作者から設定変更受付部１０２等に入力された指示に基づいて、操作者に対する操作案内を表示部１５０に表示させる処理を、ＣＰＵ１００に実行させるものである。表示制御プログラムは、ＣＤ−ＲＯＭやフレキシブルディスク等の記録媒体に記録されている場合は、この記録媒体を記録媒体読取装置１３０に装填してインストールすることで記憶装置２００に記憶される。また、表示制御プログラムがインターネット上のＷＥＢサーバに記憶されている場合は、ＷＥＢサーバから表示制御プログラムをダウンロードすることにより、当該プログラムが記憶装置２００に記憶されるようにしてもよい。
【００４４】
ＣＰＵ１００は、オペレーティングシステムの制御の下、上記表示制御プログラムを実行することで、表示制御部１０１（表示制御手段）、及び設定変更受付部（設定変更受付手段）１０２として機能する。ＣＰＵ１００は、更に、指示受付部１０５、制御部１０６、及び出力部１０７としても機能する。
【００４５】
表示制御部１０１は、表示部１５０の表示動作を制御する。表示制御部１０１は、操作者に対して、印刷の設定に必要な複数の項目（ページレイアウト、給紙カセットの指定、拡大縮小印刷、印刷範囲等。以下、単に項目という）について、各項目の設定値を変更可能であることを示す表示画面を、例えば、後述する印刷操作案内画面Ｄ（図５）、詳細項目設定画面（図６）等の形式で、表示部１５０に表示させる。
【００４６】
例えば、表示制御部１０１は、操作者に対して操作案内を表示するために、印刷操作案内画面を最初に表示し、この後、操作者による操作に伴って、更に詳細項目設定画面等の別画面を、これに切り替えて表示させる。すなわち、操作者による操作に伴って、表示制御部１０１は、印刷操作案内画面から、当該印刷操作案内画面の下位階層となる別の案内画面（詳細項目設定画面等）を切り替え表示し、印刷操作案内画面では設定できない詳細な１以上の項目を設定できるようにする。
【００４７】
また、表示制御部１０１は、上記の詳細項目設定画面として、最初に表示されるデフォルト画面と、１以上の項目の設定値の変更が可能であり、当該デフォルト画面から切り換えて表示される第２画面とを表示部１５０に表示させる。例えば、表示制御部１０１は、後述の図６に示すように、デフォルト画面として表示する詳細項目設定画面Ｈに、所謂タブ表示により、第２画面への切り換え表示が可能であることを示す。表示制御部１０１は、詳細項目設定画面Ｈにおけるタブ表示部分Ｊ１，Ｊ２…が操作部１４０として機能するマウスポインタ等により操作者に指定されると、第２画面に表示を切り換える。第２画面では、詳細項目設定画面Ｈとは違う種類の項目の設定が可能とされる。これに対して、詳細項目設定画面Ｈの下位の階層となる表示画面（例えば、図６に示す「応用機能」ボタンをマウスポインタ等で指定した場合に表示される表示画面）は、詳細項目設定画面Ｈで設定される項目について、更に詳細な設定を行うための画面として表示される。
【００４８】
設定変更受付部１０２は、表示制御部１０１によって上記印刷操作案内画面又は詳細項目設定画面（デフォルト画面又は第２画面）等が表示部１５０に表示されているときに、各項目の設定値を変更する指示を、各項目毎に操作者から受け付ける。この指示は、操作部１４０を介して操作者から入力される。
【００４９】
指示受付部１０５は、操作部１４０の操作で操作者から入力される印刷その他に関する各種指示を受け付ける。制御部１０６は、ＰＣ１の全体的な動作制御を司ると共に、操作部１４０から操作者によって入力された指示に基づいて、印刷処理に必要な各種の制御を行う。また、出力部１０７は、図略のプリンタ印刷用データ変換部で印刷に必要なデータ変換処理がされた後のデータを、通信Ｉ／Ｆ１６０を介してプリンタ２０に出力させる。
【００５０】
なお、本発明の一実施形態に係る表示装置は、例えば、表示部１５０及びＣＰＵ１００（表示制御部１０１、設定変更受付部１０２、指示受付部１０５のうちの必要な機能）を備えてなる。
【００５１】
次に、本発明の一実施形態に係る表示制御プログラムがインストールされた上記ＰＣ１による、印刷時における表示制御の第１実施形態について説明する。図２は、ＰＣ１による印刷時の表示制御の第１実施形態を示すフローチャートである。図３乃至図１４は表示部１５０の画面表示例を示す図である。
【００５２】
表示部１５０がワードプロセッサのアプリケーションを表示している状態を例にして説明する。操作者によるマウス（操作部１４０）の操作で、図３に示す画面表示例の「ファイル」欄Ａがクリック（押下）され、実行可能な各種機能を示す機能一覧ツリーを表示させる指示が操作者から指示受付部１０５に受け付けられると（Ｓ１でＹＥＳ）、表示制御部１０１は、図４に示すように、機能一覧ツリーＢを表示部１５０にプルダウン表示させる（Ｓ２）。
【００５３】
上記機能一覧ツリーＢが表示部１５０に表示されている状態で、操作者によるマウス操作で、機能一覧ツリーＢの印刷ボタンＣがクリックされ、印刷操作案内画面の表示指示が指示受付部１０５に受け付けられると（Ｓ３でＹＥＳ）、図５に示すような印刷操作案内画面Ｄを表示部１５０に表示させる（Ｓ４）。
【００５４】
印刷操作案内画面Ｄが表示部１５０に表示されている状態で、印刷操作案内画面ＤのＯＫボタンＦが、操作者によるマウス操作でクリックされ、指示受付部１０５に印刷指示が受け付けられると（Ｓ５でＹＥＳ）、この時点で設定されている各項目の設定値に従って、制御部１０６が、印刷対象データの印刷処理を実行する（Ｓ１５）。
【００５５】
また、印刷操作案内画面Ｄが表示部１５０に表示されている状態で、ＯＫボタンＦがクリックされずに、プロパティボタンＧが操作者によりクリックされ、詳細項目設定画面の表示指示が表示制御部１０１に受け付けられると（Ｓ５でＮＯ、Ｓ６でＹＥＳ）、表示制御部１０１は、図６に示すような詳細項目設定画面Ｈをデフォルト画面として表示部１５０に表示させる（Ｓ７）。この詳細項目設定画面Ｈは、最初に表示される印刷操作案内画面Ｄでは設定を変更することができない項目（給紙方法や用紙種類等）の設定が可能とされている。なお、詳細項目設定画面Ｈの上部に表示されている各タブ（レイアウトタブＪ１、イメージタブＪ２…）を、操作者がマウス操作でクリックすると、表示制御部１０１は、別項目の設定変更が可能な更なる別の詳細項目設定画面（第２画面，例えば図７参照）に表示を切り替えるようになっている。本実施形態では、別の詳細項目設定画面（第２画面）は複数用意され、表示制御部１０１は、これら複数の第２画面のうち、操作者のマウス操作により指定された第２画面を、デフォルト画面から切り換えて表示するようになっている。
【００５６】
詳細項目設定画面Ｈを表示させた時点で、表示制御部１０１は、表示中の詳細項目設定画面Ｈでは設定できない項目であって、いずれかの第２画面で設定可能な各項目（ページレイアウト（2 in 1等）、バックグラウンド印刷等）が、それまでの操作で、例えばデフォルト値（初期設定値）から変更されているか否かを判断する（Ｓ８）。
【００５７】
表示制御部１０１が、いずれかの第２画面でデフォルト値から変更されている項目があると判断した場合（Ｓ８でＹＥＳ）、当該デフォルト値が変更された項目の設定値を示す表示部分を、デフォルト画面において透過表示させる（Ｓ９）。例えば、図７に示すレイアウト第２画面Ｍにおいて、操作者が、1シート頁数の項目の設定欄Ｎをマウス操作して、1シート頁数をデフォルト値の「1」から「2」に変更していた場合には、表示制御部１０１は、当該1シート頁数の項目の設定欄Ｎにおける文字部分及び操作ボタン部分を、図８に示すように、デフォルト画面である詳細項目設定画面Ｈ（以下、デフォルト画面Ｈという）に透過表示する。すなわち、表示制御部１０１は、デフォルト画面Ｈを最上面として表示している場合では本来非表示とするレイアウト第２画面Ｍの1シート頁数の項目の設定欄Ｎにおける文字部分及び操作ボタン部分をデフォルト画面Ｈ上に透過表示部分Ｎ’として表示させ、操作者にとって、レイアウト第２画面Ｍの1シート頁数の項目の設定欄Ｎにおける文字部分及び操作ボタン部分が、デフォルト画面Ｈを透過して見えるように表示する。
【００５８】
さらに、表示制御部１０１は、当該デフォルト値が変更されている項目について設定値の設定変更が可能な詳細項目設定画面を表示するタブ表示部分を、当該設定値の変更前における表示とは異なる表示形態で表示させる（Ｓ１０）。例えば、表示制御部１０１は、他の第２画面に対応するタブ表示部分とは表示形態を異ならせて表示させる。例えば図８に示すように、レイアウト第２画面Ｍの1シート頁数の項目の設定欄Ｎで設定値がデフォルト値から変更されている場合、表示制御部１０１は、デフォルト画面において、当該1シート頁数の項目の設定欄Ｎの設定変更が可能な第２画面であるレイアウト第２画面Ｍに対応するタブ表示部分を、他の第２画面に対応するタブ表示部分とは異なる色で表示する。
【００５９】
デフォルト画面Ｈにおける上記透過表示部分Ｎ’（デフォルト値が変更された項目の設定値を示す表示部分）と、この透過表示部分Ｎ’に示される項目の設定値の変更が可能な第２画面に対応するタブ表示部分についての他の表示形態を説明する。例えば、表示制御部１０１が、以下の各図に示すように、デフォルト画面での上記透過表示部分Ｎ’を装飾した表示形態で表示するようにしてもよい。図９に示すように、表示制御部１０１が、デフォルト画面Ｈでの上記透過表示部分Ｎ’を、破線（実線、二重線等の他の線種でもよい。以下、これらを破線等という。）で囲った装飾的な表示形態で表示するものとし、当該透過表示部分Ｎ’が、本来は第２表示画面で設定変更されるべき項目の設定値を示すものであることを操作者にわかりやすくしてもよい。この場合、表示制御部１０１は、デフォルト画面Ｈにおける、透過表示で示される項目の設定値の変更が可能な第２画面に対応するタブ表示部分を、他の第２画面に対応するタブ表示部分と異なる色で表示する場合には、上記破線等を、当該透過表示に対応するタブ表示部分の表示色と同一色で表示してもよい。さらに、図１０に示すように、表示制御部１０１は、破線等で囲う透過表示部分Ｎ’の内部領域と、対応するタブ表示部分を同一の表示色で表示するようにしてもよい。
【００６０】
また、表示制御部１０１は、図１１に示すように、デフォルト画面Ｈにおける上記透過表示部分を、点滅表示させるようにしてもよい。また当該点滅表示に代えて、表示制御部１０１は、透過表示部分を点灯させた表示とすることで、デフォルト画面Ｈで表示されている他の項目よりも際立つ表示としてもよい。
【００６１】
また、表示制御部１０１は、図１２に示すように、デフォルト画面Ｈにおける上記透過表示部分Ｎ’を、文字部分及び操作ボタン部分のみでなく、当該デフォルト値から変更されている項目の設定値を示す表示部分をそのまま抜き出してデフォルト画面Ｈに表示するようにしてもよい。この場合、表示制御部１０１は、当該透過表示部分Ｎ’内の地の色と、デフォルト画面Ｈの地の色とが同一色でデザインされていることが多いため、透過表示部分Ｎ’とデフォルト画面Ｈとの境界部に、当該地の色とは異なる色でなる領域Ｐを表示する。
【００６２】
これらの表示制御により、操作者は、第２画面（例えば、レイアウト第２画面Ｍ）を表示させる操作を行うことなく、デフォルト画面Ｈを表示させた状態で、第２画面でデフォルト値が変更された項目の設定値を把握することができる。さらに、操作者は、デフォルト画面Ｈで透過表示されている項目の設定値を変更可能な第２画面を、デフォルト画面Ｈに変色表示されたタブ表示部分を視認することで簡単に把握することができる。なお、表示制御部１０１は、上記デフォルト値が変更されている項目の設定変更が可能な第２画面に対応するタブ表示部分を、太枠で表示する、網掛け表示する、拡大表示する等の表示形式により、設定変更前のタブ表示や、他のタブ表示部分とは異なる表示形態となるようにしてもよい。
【００６３】
なお、表示制御部１０１は、複数の項目がデフォルト値から変更されている場合には、各項目の設定値をそれぞれデフォルト画面Ｈで透過表示させると共に、この透過表示されている項目の設定値の設定変更が可能な第２画面を表示するタブ表示部分を上記異なる表示形態で表示する。
【００６４】
表示制御部１０１が、デフォルト画面Ｈに複数の項目の設定値を透過表示させる場合の表示形態について説明する。デフォルト画面Ｈに複数の項目の設定値を透過表示させる場合、表示制御部１０１は、複数の項目の設定値を同様な表示形態で透過表示させてもよいが、複数の第２画面のそれぞれが、各第２画面に各別に付与された階層を有するものとし、当該各第２画面の階層の違いに応じて、デフォルト画面Ｈにおける上記透過表示部分の表示形態を異ならせるようにしてもよい。例えば、表示制御部１０１が、第２画面として、レイアウト第２画面、イメージ第２画面、排紙第２画面、…バージョン情報第２画面の７つの画面を表示する場合、レイアウト第２画面が第２画面の中では最上位画面として表示される第１層、イメージ第２画面がレイアウト第２画面に次ぐ上位画面として表示される第２層、排紙第２画面がイメージ第２画面に次ぐ上位画面として表示される第３層、…バージョン情報第２画面が第２画面の中では最下位画面として表示される第７層として、各第２画面に各別の階層を付与する。表示制御部１０１は、各第２画面の項目の設定値をデフォルト画面に透過表示させる場合、当該各第２画面の階層の違いに応じて、最上位画面から最下位画面に向かうに従って、濃度を薄くして表示する。例えば、表示制御部１０１は、図１３に示すように、レイアウト第２画面の項目の設定値を表示する透過表示部分Ｎ’は、最上位の階層画面なので濃い濃度で表示し、ウォーターマーク第２画面の項目の設定値を表示する透過表示部分Ｑ’は、レイアウト第２画面よりも下位の階層画面なので、透過表示部分Ｎ’よりも薄い濃度で表示する。この表示制御部１０１による表示制御により、操作者に対して、階層順位が高い画面の項目の設定値ほど透過具合が高く鮮明に表示され、階層順位が低い画面の項目の設定値ほど透過具合が低く不鮮明に表示される印象を与え、階層順位が低い画面ほど透過具合が悪くなるように感じさせる。
【００６５】
また、図１４に示すように、表示制御部１０１は、複数の透過表示部分の各項目が、それぞれどの第２画面で設定変更可能かを示すために、各透過表示部分を囲う破線の内部又は少なくとも破線部分と、それぞれに第２画面を示すタブ表示部分とを同一色で表示するようにしてもよい。
【００６６】
これらの表示制御により、操作者は、透過表示されている各項目の透過具合に基づいて、各設定値を、どの第２画面で設定変更できるかを容易に把握することができる。
【００６７】
なお、表示制御部１０１は、デフォルト値から変更されている項目がないと判断した場合（Ｓ８でＮＯ）、Ｓ９及びＳ１０の処理をスキップする。
【００６８】
なお、Ｓ７とＳ８の処理は、いずれの処理を先に行っても構わない。また、上記Ｓ８では、表示制御部１０１が、デフォルト値から変更されている項目の設定値を、デフォルト画面Ｈにおいて透過表示し、当該設定値の設定変更が可能な第２画面を表示するタブ表示部分の表示形態を、他のタブとは異なる表示形態で表示するようにしているが、これに代えて、Ｓ８で、表示制御部１０１が、前回の印刷処理実行時に設定値が変更された項目があるか否かを判断し、設定値が変更されている項目の設定値を、デフォルト画面Ｈにおいて透過表示し、当該透過表している設定値の設定変更が可能な第２画面を表示するタブ表示部分の表示形態を、他のタブとは異なる表示形態で表示するようにしてもよい。
【００６９】
図２の説明に戻る。デフォルト画面Ｈの表示時に、例えば操作者がマウスポインタ操作で給紙方法の設定を変更する等により、いずれかの項目の設定を変更し、当該設定変更指示が設定変更受付部１０２に受け付けられると（Ｓ１１でＹＥＳ）、制御部１０６は、当該設定変更された項目を、操作者からの指示に従った値に変更して記憶する（Ｓ１２）。このデフォルト画面Ｈでの項目の変更設定は、操作者がマウス操作でＯＫボタンＫをクリックするまで、複数の項目のそれぞれについて可能とされる（Ｓ１３でＮＯ，Ｓ１６でＮＯ，Ｓ７）。
【００７０】
デフォルト画面Ｈの表示時に、操作者が、マウス操作でＯＫボタンＫをクリックすると（Ｓ１６でＹＥＳ）、処理はＳ４に戻り、表示制御部１０１は、表示部１５０に、再び印刷操作案内画面Ｄを表示させる。
【００７１】
また、操作者によるマウス操作で、デフォルト画面Ｈの上部に表示されている各タブ（レイアウトタブＪ１、イメージタブＪ２…）がクリックされると（Ｓ１３でＹＥＳ）、表示制御部１０１は、指定された別の詳細項目設定画面（第２画面）に表示を切り替える（Ｓ１４）。この後、処理はＳ８に戻る。そして、表示制御部１０１は、当該別の詳細項目設定画面に表示を切り替えた後も、Ｓ８乃至Ｓ１３の処理を行う。すなわち、表示制御部１０１は、別の詳細項目設定画面に表示を切り替えた後も、切換前の異なる詳細項目設定画面においてデフォルト値から変更されている設定値を、切換後の詳細項目設定画面に透過表示させる。
【００７２】
次に、デフォルト画面において透過表示されている項目の設定値を設定変更する際の処理を説明する。図１５は、デフォルト画面において透過表示されている項目の設定値を設定変更する際の処理を示すフローチャート、図１６は表示部１５０の画面表示例を示す図である。
【００７３】
上記図２で示した表示制御では、操作者が、デフォルト画面Ｈにおいて透過表示されている項目の設定値を変更したい場合、操作者はマウス操作により当該設定値の項目に対応する他の第２画面を表示するタブ表示部分をクリックして、当該第２画面に表示を切り替える操作を行い、切り換え表示された第２画面において、変更したい項目の設定値を変更する操作を行う。これに対して、以下に示すように、デフォルト画面Ｈにおける上記透過表示部分を操作者がマウス操作することで、透過表示中の設定値の変更を、デフォルト画面が表示された状態で可能となるようにしてもよい。
【００７４】
表示制御部１０１は、デフォルト画面Ｈにおいて、デフォルト値から変更されている項目の設定値を透過表示部分Ｎ’として表示しているとき（Ｓ２１）、例えば図１６に示すように、操作ボタンとして透過表示されているプルダウンボタンＲが、操作者によるマウス操作でクリックされ、変更候補値の表示指示が設定変更受付部１０２に受け付けられると（Ｓ２２でＹＥＳ）、設定値の変更候補値を例えばプルダウン表示Ｓにより、デフォルト画面上に複数表示させる（Ｓ２３）。ここで、操作者によるマウス操作により、上記複数の変更候補値の中から、新たに設定する値を表示する部分がクリックされ、操作者による変更値の指示が設定変更受付部１０２に受け付けられると（Ｓ２４でＹＥＳ）、制御部１０６は、当該項目の設定値を指定された値に変更する（Ｓ２５）。
【００７５】
これにより、操作者は、プルダウンボタンＲの操作により、透過表示されている項目の設定値の変更が可能な第２画面に表示を切り換える操作を行うことなく、デフォルト画面Ｈに透過表示されている項目の設定値を、デフォルト画面を表示させた状態で設定変更可能となり、操作性が更に向上する。
【００７６】
なお、表示制御部１０１は、デフォルト値が変更されている項目か、又は前回の印刷処理実行時に設定値が変更された項目かに応じて、上記透過表示を行うか否かを表示制御しているため、項目の設定値がデフォルト値に戻されたこと、又は前回の印刷処理実行時に設定値が変更されなかった状態に遷移したことをもって、上記透過表示を非表示とするようにしてもよい。
【００７７】
更に、デフォルト画面において複数の項目の設定値が透過表示されている場合における設定値の変更処理について他の実施形態を説明する。図１７は、デフォルト画面において複数の項目の設定値が透過表示されている場合における設定値の変更処理について他の実施形態を示すフローチャート、図１８は表示部１５０の画面表示例を示す図である。なお、図１５で示した処理と同様の処理は、同符号を付して説明を省略する。
【００７８】
表示制御部１０１がデフォルト画面Ｈにおいて複数の上記透過表示を行っている場合、設定変更受付部１０２は、操作者によるマウス操作によるプルダウンボタンＲの操作等であって、各々の第２画面に対応させて予め定められている各別の操作が行われた場合に、行われた操作に対応する第２画面の項目であって、透過表示されている設定値の変更指示を受け付けるようにしてもよい。例えば、図１７及び図１８を用いて説明すると、操作者が、設定値を変更したい所望の透過表示部分上にマウスポインタの位置を合わせてマウス操作を行い、当該マウス操作が設定変更受付部１０２に認識されると（Ｓ３１でＹＥＳ）、設定変更受付部１０２は、操作者によって行われた当該マウス操作が、当該マウスポインタで指定されている透過表示部分の項目の設定値を変更可能な第２画面に対応させて予め定められている操作（例えば、各第２画面に各別の階層が付与されている場合、最上位の第２画面は１クリック、その次の階層の第２画面は２クリック等、更に次の階層の第２画面は３クリック等とされる）と一致するか否かを判断する。設定変更受付部１０２は、当該マウス操作が、上記予め定められている操作と一致した場合（Ｓ３２でＹＥＳ）、操作者のマウス操作による、当該マウスポインタで指定された透過表示部分のプルダウンボタンＲの操作等の受け付けを許可する（Ｓ３３）。
【００７９】
これにより、それぞれの第２画面に対応させて予め定められた各別の操作が操作者によって行わなければ、デフォルト画面に透過表示されている設定値を変更できないので、操作者は、上記透過表示されている設定値の変更時に、この設定値がどの第２画面の項目の設定値であるかを認識しながら変更操作することになり、誤って他の第２画面の設定値を変更してしまうことを防止できる。
【００８０】
なお、本発明は上記実施の形態の構成に限られず種々の変形が可能である。例えば、上記実施形態では、表示部１５０及びＣＰＵ１００（表示制御部１０１、設定変更受付部１０２、指示受付部１０５のうちの必要な機能）を備えてなる上記表示装置を、電子写真方式やインクジェット方式等の画像形成機構を備えた画像形成装置に適用することも可能である。この場合、画像形成装置に備えられるＬＣＤ（Liquid Crystal Display）等の操作パネルが表示部１５０として機能し、画像形成装置の全体動作の制御を司るために画像形成装置に備えられている中央制御部が上記ＣＰＵ１００として機能するようにすればよい。
【００８１】
また、上記実施形態では、パーソナルコンピュータ１が、本発明の一実施に係る表示制御プログラムに従って機能するとして説明しているが、特許請求の範囲に示すコンピュータは、パーソナルコンピュータに限られず、様々な電気機器に搭載されるコンピュータ機能を含む。例えば、各種ＯＡ機器や家電製品等に備えられるコンピュータ機能（マイコンやＩＣ等であってもプログラムを実行できる機能を有するものであれば足りる）が、特許請求の範囲に示すコンピュータに含まれる。
【００８２】
また、上記実施形態では、本発明の一実施に係る表示制御プログラム、表示装置及び表示制御方法を、ワードプロセッサのアプリケーションにおける印刷設定時に、デフォルト画面Ｈと第２画面とが表示部１５０に選択的に切り換え表示される場合に適用する例を説明したが、本発明の一実施形態に係る表示制御プログラム等の適用はこれに限られず、例えば、パーソナルコンピュータ１において、複数のアプリケーションが同時に起動されており、各アプリケーションの画面が表示部１５０に選択的表示される場合にも適用可能である。例えば、計算を行うアプリケーションと、ワードプロセッサのアプリケーションが、パーソナルコンピュータ１において同時に起動されている場合に、本発明の一実施に係る表示制御プログラムは、表示制御部１０１が、計算を行うアプリケーションの画面として表示部１５０に計算結果が表示されたことを認識すると、これをもって、表示制御部１０１は、計算を行うアプリケーションの画面を上記第２画面として扱うと共に、この計算結果を示す数値を、上記第２画面で変更された設定値として扱う。さらに、指示受付部１０５が操作者から、計算を行うアプリケーションの画面よりも、ワードプロセッサのアプリケーションの画面を上位に表示させる指示を受け付けると、表示制御部１０１は、ワードプロセッサのアプリケーションの画面を表示部１５０に表示させ、このワードプロセッサのアプリケーションの画面上に、例えば、図１９に示すように、計算を行うアプリケーションの画面における上記計算結果を示す数値を透過表示部分Ｕとして表示させる。なお、図１９では、計算を行うアプリケーションの画面の他部分を破線で示しているが、当該破線部分は非表示とするか、透過表示部分Ｕよりも薄い濃度で表示することが好ましい。これにより、操作者は、ワードプロセッサのアプリケーションの画面を表示部１５０に表示させた後、計算を行うアプリケーションの画面を表示させる操作を行わなくても、計算を行うアプリケーションでの計算結果を把握することができ、当該計算結果を、例えばワードプロセッサのアプリケーションで入力する等の操作を簡単に行うことができる。なお、この場合、当該表示制御プログラムは、上述した各アプリケーションに組み込まれた状態とされてもよいし、上記各アプリケーションとは別個にパーソナルコンピュータ１（記憶装置２００）にインストールされるようにしてもよい。
【００８３】
また、上記には本発明の一実施に係る表示制御プログラム、表示装置及び表示制御方法の構成及び制御を図１乃至図１９を用いて示したが、これらはあくまでも一例に過ぎず、本発明に係る表示制御プログラム、表示装置及び表示制御方法を、上述した構成及び制御に限定する趣旨ではない。
【図面の簡単な説明】
【００８４】
【図１】本発明の一実施形態に係る表示制御プログラムがインストールされたパーソナルコンピュータの概略構成を示すブロック図である。
【図２】ＰＣによる印刷時の表示制御の第１実施形態を示すフローチャートである。
【図３】表示部の画面表示例を示す図である。
【図４】表示部の画面表示例を示す図である。
【図５】表示部の画面表示例を示す図である。
【図６】表示部の画面表示例を示す図である。
【図７】表示部の画面表示例を示す図である。
【図８】表示部の画面表示例を示す図である。
【図９】表示部の画面表示例を示す図である。
【図１０】表示部の画面表示例を示す図である。
【図１１】表示部の画面表示例を示す図である。
【図１２】表示部の画面表示例を示す図である。
【図１３】表示部の画面表示例を示す図である。
【図１４】表示部の画面表示例を示す図である。
【図１５】デフォルト画面において透過表示されている項目の設定値を設定変更する際の処理を示すフローチャートである。
【図１６】表示部の画面表示例を示す図である。
【図１７】デフォルト画面において複数の項目の設定値が透過表示されている場合における設定値の変更処理について他の実施形態を示すフローチャートである。
【図１８】表示部の画面表示例を示す図である。
【図１９】表示部の画面表示例を示す図である。
【符号の説明】
【００８５】
１        パーソナルコンピュータ
２０      プリンタ
１００    ＣＰＵ
１０１    表示制御部
１０２    設定変更受付部
１０５    指示受付部
１０６    制御部
１０７    出力部
１４０    操作部
１５０    表示部
２００    記憶装置
Ｊ１      レイアウトタブ
Ｊ２      イメージタブ
Ｊ５      ウォーターマークタブ
【図１】
2008083959.tif 000003
【図２】
2008083959.tif 000004
【図３】
2008083959.tif 000005
【図４】
2008083959.tif 000006
【図５】
2008083959.tif 000007
【図６】
2008083959.tif 000008
【図７】
2008083959.tif 000009
【図８】
2008083959.tif 000010
【図９】
2008083959.tif 000011
【図１０】
2008083959.tif 000012
【図１１】
2008083959.tif 000013
【図１２】
2008083959.tif 000014
【図１３】
2008083959.tif 000015
【図１４】
2008083959.tif 000016
【図１５】
2008083959.tif 000017
【図１６】
2008083959.tif 000018
【図１７】
2008083959.tif 000019
【図１８】
2008083959.tif 000020
【図１９】
2008083959.tif 000021